(57)【要約】      （修正有）【課題】大判の用紙のカールを抑えることが可能なテーブルを提供する。【解決手段】テーブル１は、模造紙などの用紙を広げて載置できる天板１１と、天板１１を所定の高さに支持する脚部１３と、天板１１の表面に広げて載置される用紙の四隅に対応する位置に配置され、磁性体によって形成される磁性体層を有する磁性係止部２０と、を備える。天板１１は、縁に沿って樹脂によって形成される縁取り部１２をさらに備え、磁性係止部２０は、縁取り部１２と一体形成される樹脂層を表面に備えていてもよい。【選択図】図１
2017086329.tif 000002
【特許請求の範囲】
【請求項１】
用紙を広げて載置できる天板と、
前記天板を所定の高さに支持する脚部と、
前記天板の表面に広げて載置される前記用紙の四隅に対応する位置に配置され、磁性体によって形成される磁性体層を有する磁性係止部と、
を備えるテーブル。
【請求項２】
前記天板は、
縁に沿って樹脂によって形成される縁取り部をさらに備え、
前記磁性係止部は、
前記縁取り部と一体に形成される樹脂層を表面に備える請求項１に記載のテーブル。
【請求項３】
前記磁性係止部は、
前記用紙を前記磁性係止部へ位置固定する位置固定手段をさらに備える請求項１又は請求項２に記載のテーブル。
【請求項４】
前記位置固定手段は、
可撓性を有する樹脂によって形成されるバンド部と、
前記バンド部の先端に配置され、永久磁石を有するパッド部と、
を備える請求項３に記載のテーブル。
【請求項５】
前記位置固定手段は、
自由変形するひも部と、
前記ひも部の先端に取り付けられる永久磁石と、
を備える請求項３に記載のテーブル。
【請求項６】
前記位置固定手段は、
可撓性のある樹脂によって形成される樹脂層と、
前記樹脂層に設けられ、可撓性のある磁石によって形成される磁石層と、
前記磁石層に対応する位置に切れ込みを挟み配置され、磁性体によって形成される磁性体層と、
を備える請求項３に記載のテーブル。
【発明の詳細な説明】
【技術分野】
【０００１】
本発明は、テーブルに関するものである。
【背景技術】
【０００２】
研究発表や報告会などにおいて発表に使用するためのポスターを模造紙などの大判の用紙を用いて作成する際にはこの大判の用紙を広げられる大きさの天板を有するテーブルがあると便利である。従来は会議用のテーブルなどを使用してポスターを作成することが多かった。
【０００３】
しかし、模造紙などの用紙は丸めて保管されることが多く、使用する際には広げても端がカールしてしまうことが多い。従来は文鎮やその代用品を用紙の四隅に配置してカールを押さえていた。
【０００４】
この点に関し、テーブルの縁取りに強磁性体の鉄板を取り付け、掲示用紙をマグネットによって係止する技術が提案されている（例えば、特許文献１）。
【０００５】
しかし、この技術では模造紙などの用紙の縁を折り曲げなければテーブルに係止することができず、使い勝手の良いものとは言えない。
【先行技術文献】
【特許文献】
【０００６】
【特許文献１】特開２０１４−２２３１６０号公報
【発明の概要】
【発明が解決しようとする課題】
【０００７】
従って、大判の用紙のカールを抑えることが可能なテーブルが求められている。
【課題を解決するための手段】
【０００８】
前記課題を解決するため、本発明に係るテーブルは、用紙を広げて載置できる天板と、前記天板を所定の高さに支持する脚部と、前記天板の表面に広げて載置される前記用紙の四隅に対応する位置に配置され、磁性体によって形成される磁性体層を有する磁性係止部と、を備える。
【発明の効果】
【０００９】
本発明によれば、大判の用紙のカールを抑えることが可能なテーブルを提供することができる。
【図面の簡単な説明】
【００１０】
【図１】第１の実施形態にかかるテーブルの斜視図。
【図２】図１のテーブルの正面図。
【図３】図１、図２のテーブルの側面図。
【図４】図１から図３のテーブルの平面図。
【図５】図４におけるＡの部分の拡大図。
【図６】図５におけるＢＢ線断面図。
【図７】第２の実施形態にかかる磁性係止部の拡大斜視図。
【図８】第３の実施形態にかかる磁性係止部の拡大斜視図。
【図９】第４の実施形態にかかる磁性係止部の拡大斜視図。
【図１０】図９におけるＣＣ線断面図。
【発明を実施するための形態】
【００１１】
以下、本発明の一実施形態にかかるテーブルを、図面を参照しながら説明する。
【００１２】
（第１の実施形態）
【００１３】
図１は本実施形態のテーブル１の外観斜視図、図２は前記テーブル１の正面図、図３は前記テーブル１の側面図、図４は前記テーブル１の平面図である。
【００１４】
図１から図４に示すように、テーブル１は、模造紙Ｐなどの紙状体（以下、用紙ともいう。）を広げて載置できる大きさを有する天板１１と、天板１１の表面に配置される磁性係止部２０と、天板１１の縁に沿って設置される縁取り部１２と、天板１１の下部に配置され、天板１１を支持する脚部１３と、脚部１３を補強する補強部材１４と、を備える。
【００１５】
天板１１は床面に対して平行、すなわち水平に配置される。天板１１は、例えば木材の板の表面に化粧塗装を施したものを使用することができる。また、天板１１の材質は、木材などの木質系の材質に限らず、鉄などのメタル系の材質やガラス、或いは樹脂などの材質であってもよい。化粧塗装は、いわゆるホワイトボードであってよい。ホワイトボードは、表面が白又は白に近い色をなし、油性ペンやフェルトペンによって筆記した文字などをふき取ることにより消し去ることができる塗装層を有する。
【００１６】
磁性係止部２０は、天板１１に広げて載置される模造紙Ｐの四隅に対応する位置にそれぞれ１個ずつ配置される。磁性係止部２０は、本実施形態においては天板１１の略四隅近傍に配置される。磁性係止部２０は天板１１の平面形状によっては図１から図４に図示したような天板１１の略四隅に位置せず、他の位置に配置される場合もある。
【００１７】
脚部１３は、天板１１が所定の高さになるように、天板１１の下方から天板１１を支持する。脚部１３は２本１対として４本設けられる。一対の脚部１３は互いに溶接され、この溶接部においてさらに補強部材１４に溶接される。
【００１８】
図５は、図４におけるＡの部分の拡大図である。図５に示すように、磁性係止部２０は、縁取り部１２と一体に形成される。磁性係止部２０は、樹脂によって形成される。この樹脂は、ウレタンなどの弾性力を有する樹脂であることが、安全性の上から望ましい。
【００１９】
磁性係止部２０の表面には、磁石が吸引されることを示すマークＭが施される。マークＭは、使用方法を明示した表示部であり、このマークがあることにより、使い方の説明を受けない者でも磁石を用いることができる旨を見て分かることが可能となる。さらに、この実施例では、マークＭの脇に模造紙の四隅に合わせた目印ラインＬを施している。
【００２０】
図６は、図５におけるＢＢ線断面図である。図６に示すように、磁性係止部２０は、縁取り部１２と一体に形成される。また、天板１１は、基板層１１Ｂと、基板層１１Ｂの表面に設けられる化粧塗装層１１Ａと、を備える。
【００２１】
磁性係止部２０は、表面の樹脂層２２と、基板層１１Ｂとの間に磁性体層２１を有する。磁性体層２１は、磁性体から形成される。この磁性体は、コストの面から鉄であることが望ましいが、磁石であってもよい。磁性体層２１は、磁性係止部２０のほぼ全面にわたって設けられる。
【００２２】
以上に述べたように、本実施形態のテーブル１は、模造紙Ｐを広げて載置できる大きさを有する天板１１と、天板１１の表面に配置され、磁性体層２１を有する磁性係止部２０と、を備える。
【００２３】
従って、模造紙Ｐの四隅を磁性係止部２０に合わせて載置し、この四隅を模造紙Ｐ上に載置し、磁力を有する永久磁石（図示せず）によって磁性係止部２０に位置固定することにより模造紙Ｐのカールを抑えることが可能となるという効果がある。
【００２４】
（第２の実施形態）
【００２５】
図７は、本実施形態にかかる磁性係止部２０の拡大図である。第２の実施形態のテーブル１の構成は、磁性係止部２０への位置固定手段として、マグネットバンド３０をさらに備えること以外第１の実施形態のテーブル１の構成と同様である。
【００２６】
図７に示すように、テーブル１は、磁性係止部２０に対応する位置にマグネットバンド３０を備える。マグネットバンド３０は、可撓性の樹脂によって形成されるバンド部３１と、バンド部３１の先端に配置され、バンド部３１より幅広のパッド部３２と、パッド部３２のほぼ中央に配置される永久磁石３３と、を備える。
【００２７】
バンド部３１は可撓性を有するため、矢印Ｘの方向に折り曲げることができる。バンド部３１は矢印Ｘの方向に折り曲げられた際にパッド部３２が磁性係止部２０の中央付近に来る長さを有する。
【００２８】
従って、模造紙Ｐの四隅をそれぞれ磁性係止部２０とパッド部３２との間に挟むことにより、永久磁石３３によって模造紙Ｐのカールを抑えることができる。
【００２９】
以上のべたように、本実施形態のテーブル１は、磁性係止部２０に対応する位置にマグネットバンド３０を備える。
【００３０】
従って、磁石を別途用意しなくとも模造紙Ｐのカールを抑え、併せて磁石の紛失を防止できるという効果がある。
【００３１】
（第３の実施形態）
【００３２】
図８は、本実施形態にかかる磁性係止部２０の拡大図である。第３の実施形態のテーブル１の構成は、磁性係止部２０への位置固定手段として、ひも付きマグネット４０をさらに備えること以外第１の実施形態のテーブル１の構成と同様である。
【００３３】
図８に示すように、テーブル１は、磁性係止部２０にひも付きマグネット４０を備える。ひも付きマグネット４０は、磁性係止部２０の縁に設けられる貫通孔４１に連結されるリング４２と、柔軟性のあるひも部４３と、ひも部４３の先端に取り付けられる永久磁石４４と、を備える。
【００３４】
ひも部４３は柔軟性があるため自由変形する。ひも部４３は永久磁石４４を磁性係止部２０のほぼ中央部に配置できる長さを有する。
【００３５】
従って、模造紙Ｐの四隅をそれぞれ磁性係止部２０と永久磁石４４との間に挟むことにより、模造紙Ｐのカールを抑えることができる。
【００３６】
以上のべたように、本実施形態のテーブル１は、磁性係止部２０にひも付きマグネット４０を備える。
【００３７】
従って、磁石を別途用意しなくとも模造紙Ｐのカールを抑え、併せて磁石の紛失を防止できるテーブル１を安価に製造することができるという効果がある。
【００３８】
（第４の実施形態）
【００３９】
図９は、本実施形態にかかる磁性係止部２０の拡大図である。図１０は、図９におけるＣＣ線断面図である。第４の実施形態のテーブル１の構成は、磁性係止部２０の構成が異なる以外第１の実施形態のテーブル１の構成と同様である。
【００４０】
図９に示すように、本実施形態の磁性係止部２０は、模造紙Ｐの四隅をそれぞれ挟み込む切込み２４を備える。
【００４１】
図１０に示すように、磁性係止部２０は、可撓性を有する樹脂によって形成される樹脂層２２と、ゴム磁石によって形成される磁石層２３と、磁石層２３に対応する位置に切込み２４を挟んで配置される磁性体層２１と、を備える。
【００４２】
ゴム磁石は、可撓性を有する樹脂に磁性粉を混ぜ込み、着磁しながら成形することによって得られる永久磁石である。ゴム磁石は可撓性があるため、磁石層２３は樹脂層２２に追随して弾性変形する。
【００４３】
従って、模造紙Ｐの四隅をそれぞれ磁性係止部２０の切込み２４に挟み込み、磁石層２３と磁性体層２１によって係止することにより模造紙Ｐのカールを抑えることが可能となる。すなわち、この実施例では、磁性係止部２０自体が磁性係止部２０への位置固定手段としての磁石層２３を備える。
【００４４】
以上のべたように、本実施形態のテーブル１は、可撓性を有する磁石層２３と、磁石層２３に切込み２４を挟み、対応する位置に配置される磁性体層２１と、を備える。
【００４５】
従って、磁石を別途用意しなくとも模造紙Ｐのカールを抑え、併せて磁石の紛失を防止できるテーブル１を見栄えよく製造することができるという効果がある。
【符号の説明】
【００４６】
１  テーブル
１１  天板
１１Ａ  化粧塗装層
１１Ｂ  基板層
１２  縁取り部
１３  脚部
２０  磁性係止部
２１  磁性体層
２２  樹脂層
２３  磁石層
３０  マグネットバンド
３１  バンド部
３２  パッド部
３３  永久磁石
４０  マグネット
４１  貫通孔
４２  リング
４３  ひも部
４４  永久磁石
【図１】
2017086329.tif 000003
【図２】
2017086329.tif 000004
【図３】
2017086329.tif 000005
【図４】
2017086329.tif 000006
【図５】
2017086329.tif 000007
【図６】
2017086329.tif 000008
【図７】
2017086329.tif 000009
【図８】
2017086329.tif 000010
【図９】
2017086329.tif 000011
【図１０】
2017086329.tif 000012